(57)【要約】【課題】  側音のない固定電話機に対応し、送受話共に適正なレベルの録音信号を得ることができる録音アダプタを提供することにある。【解決手段】  この録音アダプタでは、録音機能を有する機器からの電力供給を受けることで送話信号を増幅回路１０で増幅すると共に送話信号と受話信号をミキシング回路３０でミキシングしている。このため、不特定な録音機器の設定条件に対して、広い範囲で信号のレベル調整が可能となる。また、受話信号と送話信号のレベル調整をそれぞれ受話レベル調整回路２と送話レベル調整回路２２で行っているので、通話録音に適したレベルの信号を出力することができる。また、送話者の音場を集音するエレクトレットマイクにより送話信号を得ているので、側音のない固定電話機でも送話者の音場を適正なレベルで録音することができる。【選択図】図１
2015089094.tif 000002
【特許請求の範囲】
【請求項１】
固定電話機と録音機能を有する機器のマイク入力ジャック端子との間に接続して通話内容の録音に使用する録音アダプタであって、
前記固定電話機におけるハンドセットの受話スピーカ信号線から取り出した受話信号のレベル調整を行う受話レベル調整回路と、
送話信号を出力するエレクトレットマイクと、
前記マイク入力ジャック端子から電力供給され且つ前記送話信号を増幅する増幅回路と、
前記マイク入力ジャック端子から前記増幅回路に供給される電圧を平滑する第１のデカップリング回路と、
増幅された送話信号のレベル調整を行う送話レベル調整回路と、
前記マイク入力ジャック端子から電力供給され且つレベル調整された受話信号にレベル調整された送話信号を重畳して前記マイク入力ジャック端子に出力するミキシング回路と、
前記マイク入力ジャック端子から前記ミキシング回路に供給される電圧を平滑する第２のデカップリング回路と、
を備えることを特徴とする録音アダプタ。
【発明の詳細な説明】
【技術分野】
【０００１】  本発明は、固定電話機の通話内容をパソコン、ＩＣレコーダ等の録音機能を有する機器で録音するために使用する録音アダプタに関するものであり、特に、側音の入らない固定電話機に対応したものに関する。
【背景技術】
【０００２】  従来の電話機には、パソコンのＵＳＢ端子に接続することで通話内容をパソコンで録音するインターフェイスを備えたものが提案されていた（例えば、特許文献１参照）。しかし、このような電話機では、電話機が高価になるだけでなく、電話機ごと交換しなければ、通話音声の録音ができないという問題があった。【０００３】  そこで、図２に示すように、既存の固定電話機の本体側のモジュラージャックＭＪ１とハンドセットが接続されるモジュラージャックＭＪ２との間に接続して分岐することで、録音機器等で通話内容を録音する録音アダプタが商品化されていた。この録音アダプタは、電話機のハンドセットの受話スピーカ信号線に接続する接続線の選択が可能なスイッチＳＷと、直流カット用のコンデンサＣ１，Ｃ２と、一定帯域の周波数信号のみ通過させるバンドパスフィルタＢＰＦとを備えている。この録音アダプタでは、固定電話機の通話信号、録音に適した帯域のみ通過させることで、ピンプラグＰから出力し、これに接続した録音機器等で録音するものであった。
【先行技術文献】
【特許文献】
【０００４】
【特許文献１】  特開２００３−８７３１号公報（図１）
【発明の概要】
【発明が解決しようとする課題】
【０００５】  近年、携帯電話機で既に構築されている側音の入らない固定電話機が普及してきており、このような側音の入らない固定電話機の場合、上記従来の録音アダプタでは、相手側の音声（受話）のみしか録音できず、送話を録音することができなかった。仮に、相手側の電話機が側音の入る電話機であったとしても、送話のレベルが低く、通話の録音として十分なものではなかった。【０００６】  また、電話局線から電話機に入る前で通話信号を取り出して録音に供することで送受話を録音することも可能であるが、送話と受話の通信レベル差が大きいため、良質な録音に適さないという問題があった。【０００７】  本発明が解決しようとする課題は、上記従来技術の問題点を解決し、側音のない固定電話機に対応し、送受話共に適正なレベルの録音信号を得ることができる録音アダプタを提供することにある。
【課題を解決するための手段】
【０００８】  本発明の録音アダプタは、固定電話機と録音機能を有する機器の外部マイク入力ジャック端子との間に接続して通話内容の録音に使用する録音アダプタであって、前記固定電話機におけるハンドセットの受話スピーカ信号線から取り出した受話信号のレベル調整を行う受話レベル調整回路と、送話信号を出力するエレクトレットマイク（以下「ＥＣＭ」と略称する）と、前記マイク入力ジャック端子から電力供給外れ且つ前記送話信号を増幅する増幅回路と、前記マイク入力ジャック端子から前記増幅回路に供給される電圧を平滑する第１のデカップリング回路と、増幅された送話信号のレベル調整を行う送話レベル調整回路と、前記マイク入力ジャック端子から電力供給され且つレベル調整された受話信号にレベル調整された送話信号を重畳して前記マイク入力ジャック端子に出力するミキシング回路と、前記マイク入力ジャック端子から前記ミキシング回路に供給される電圧を平滑する第２のデカップリング回路と、を備えている。
【発明の効果】
【０００９】  本発明の録音アダプタでは、録音機能を有する機器からの電力供給を受けることでＥＣＭによる送話信号を増幅すると共に送話信号と受話信号のミキシングを行うことで、録音信号レベルの過不足を解消して広範囲の録音信号レベルの調整を可能にし、更に、受話信号と送話信号のレベル調整をそれぞれ調整する受話レベル調整回路と送話レベル調整回路を設けているので、通話録音に適したレベルの信号を出力することができる。【００１０】  また、送話者の音場を集音するＥＣＭを備えて、このＥＣＭから送話信号を得ているので、側音のない固定電話機でも送話者の音場を適正なレベルで録音することができる。
【図面の簡単な説明】
【００１１】
【図１】  本発明の一実施例に係る録音アダプタの回路構成を示す回路図である。
【図２】  従来の録音アダプタの回路構成を示すブロック図である。
【発明を実施するための最良の形態】
【００１２】  図１に示す録音アダプタは、固定電話機の本体にハンドセットを取り付けるモジュラージャック等に接続される固定電話機本体側のモジュラージャックＭＪ１と、ハンドセットのプラグが差し込まれるハンドセット側のモジュラージャックＭＪ２との間の受話スピーカ信号線に、接続状態を製造メーカの仕様に合わせて選択可能にするように接続されたスイッチＳＷと、このスイッチＳＷによって取り出した受話信号の直流成分をカットするコンデンサＣ１，Ｃ２を備えている。【００１３】  また、この録音アダプタは、コンデンサＣ１，Ｃ２を介して得られる受話信号のレベルを調整する受話レベル調整回路２を備えている。この受話レベル調整回路２は、本実施例では可変抵抗４と入出力側の負荷抵抗６，８により構成されている。【００１４】  また、この録音アダプタには、本機使用者側の送話の音場をハンドセットのマイクを使用せず別個に集音するＥＣＭ１が設けられている。このＥＣＭ１は、ピンジャックＪ２、ピンプラグＰ２を介して接続されている。【００１５】  符号１０は増幅回路であり、ＥＣＭ１からの送話信号を増幅するものである。本実施例における増幅回路１０は、送話信号をコンデンサ１２及び抵抗１４を介して入力するオペアンプ１６により構成されている。このオペアンプ１６は、微小電力で動作するものであり、本実施例では録音信号を出力するピンプラグＰ１が接続される録音機能を有する機器のマイク入力ジャック端子等のピンジャックＪ１から供給される電力によって電力供給されている。【００１６】  符号１８は第１のデカップリング回路である。このデカップリング回路１８は、ピンプラグＰ１とオペアンプ１６との間に接続された抵抗１９及びコンデンサ２０からなるものであり、オペアンプ１６に供給される電力を平滑化するものである。【００１７】  符号２２は増幅された送話信号のレベルを調整する送話レベル調整回路である。本実施例における送話レベル調整回路２２は、可変抵抗２４と入出力調整用の負荷抵抗２６，２８により構成されている。【００１８】  符号３０は受話レベル調整回路２からのレベル調整された受話信号に送話レベル調整回路２２からの送話信号を重畳するミキシング回路である。本実施例におけるミキシング回路３０は、受話レベル調整回路２と送話レベル調整回路２２からの受話信号と送話信号を、それぞれコンデンサ３４，３６を介してベースに入力するトランジスタ３２を備えている。このトランジスタ３２は、ピンプラグＰ１とコレクタとの間、コレクタとベースとの間及びエミッタとアースとの間にそれぞれ抵抗３９，３８，４０が接続されており、抵抗４０に並列にコンデンサ４２が接続されている。【００１９】  符号４４はピンプラグＰ１が接続されるピンジャックＪ１からミキシング回路３０に供給される電圧を平滑する第２のデカップリング回路である。本実施例における第２のデカップリング回路４４は、ピンプラグＰ１の出力信号を平滑し直流化するための抵抗４６及びコンデンサ４８からなるものである。尚、本実施例においては、ＥＣＭ１が負荷抵抗５０を介して第２のデカップリング回路４４に接続されており、更にＥＣＭ１からの送話信号がコンデンサ５２を介して増幅回路１０に印加さ��るように構成されている。【００２０】  上記構成からなる本実施例の録音アダプタでは、取り出した受話信号のレベルを受話レベル調整回路２にて調整し、ミキシング回路３０の入力側に出力する。このときに、ＥＣＭ１からの送話信号は増幅回路１０に送られ、第１のデカップリング回路１８にて平滑化された電圧で駆動されるオペアンプ１６によって増幅される。このように増幅された送話信号は、送話レベル調整回路２２にてレベル調整され、ミキシング回路３０に送られる。【００２１】  このようにそれぞれレベル調整された受話信号と送話信号は、コンデンサ３４，３６で直流成分がカットされてトランジスタ３２のベースに印加される。これにより、トランジスタ３２はベースバイアス抵抗３８、補助負荷抵抗３９、エミッター抵抗４０及びバイパスコンデンサ４２によってミキシング回路を構成し、受話信号と送話信号を重畳した信号が形成され、録音信号としてピンプラグＰ１から出力される。【００２２】  この録音アダプタでは、高レベルの受話信号のレベルを調整すると共にＥＣＭ１で集音した送話信号をデカップリングした直流電源によりオペアンプ１６で増幅した後そのレベルを調整して受話信号とのバランスを取ってからミキシングしている。このため、レベル調整する範囲を広くとることができると共に十分且つ適当な録音信号レベルに設定して出力することができる。【００２３】  また、この録音アダプタが出力する録音信号は、受話信号と送話信号の両方を混合しているので、固定電話機電子回路内で送受話信号を分けて処理しエコーキャンセラ等により側音のない固定電話機であっても相手側の音声だけでなく送話者の音声も本アダプタの回路内で送話信号として作成して明瞭に録音することができる。
【符号の説明】
【００２４】１          エレクトレットマイク
２          受話レベル調整回路
１０        増幅回路
１８        第１のデカップリング回路
２２        送話レベル調整回路
３０        ミキシング回路
４４        第２のデカップリング回路
Ｊ１，Ｊ２  ピンジャック
ＭＪ１，ＭＪ２  モジュラージャック
Ｐ１，Ｐ２  ピンプラグ
ＳＷ        スイッチ
【図１】
2015089094.tif 000003
【図２】
2015089094.tif 000004